(57)【要約】【目的】構造簡単にして小型で汎用性があり、安価に製作でき、しかも保守が容易な蒸発乾燥装置を提供すること。【解決手段】両パネル面に夫々、直線状に延びる凸条部２と凹条部３とが交互に且つ平行に形成されると共に、各凸条部２の内側に蒸気通路４が形成されてなる加熱パネル１を備え、この加熱パネル１のパネル面に汚泥等のスラリーＳを供給して蒸発乾燥させるようになっている。【選択図】        図１
2004243304.tif 000002
【特許請求の範囲】
【請求項１】
両パネル面に夫々、直線状に延びる凸条部と凹条部とが交互に且つ平行に形成されると共に、各凸条部の内側に蒸気通路が形成されてなる加熱パネルを備え、この加熱パネルのパネル面に汚泥等のスラリーを供給して蒸発乾燥させるようにした蒸発乾燥装置。
【請求項２】
前記加熱パネルには、各蒸気通路の一端部に加熱蒸気を供給する蒸気供給管と、各蒸気通路の他端部から出る蒸気を一方向に排出させる蒸気排出管とを設けてなる請求項１に記載の蒸発乾燥装置。
【請求項３】
前記加熱パネルのパネル面に付着した汚泥等スラリーの乾燥固化物を掻き取るためのスクレーパーを装備してなる請求項１又は２に記載の蒸発乾燥装置。
【請求項４】
前記加熱パネルの各凸条部は、加熱パネルの両パネル面で互い違いの位相となるように形成されている請求項１〜３の何れかに記載の蒸発乾燥装置。
【請求項５】
前記加熱パネルの各凸条部は、平板の両面に夫々、管材を縦に二分割した半割管材又はこれに類似した部材を一定間隔おきに固着したものからなり、隣合う半割管材又はこれの類似部材相互間に凹条部が形成される請求項１〜４の何れかに記載の蒸発乾燥装置。
【請求項６】
前記スクレーパーは、加熱パネルの両端近傍に配置されたスプロケットに掛張されて、加熱パネルの両パネル面に沿って凹凸条部の長手方向に移動する駆動チェーンと、この駆動チェーンに取付部材を介して取り付けられ、パネル面の凹凸条部に沿って摺動して乾燥固化物を掻き取る掻取片とからなる請求項３に記載の蒸発乾燥装置。
【請求項７】
前記スクレーパーの取付部材には、掻取片をパネル面の凹凸条部に対し弾性的に押し付けるためのバネが設けられている請求項６に記載の蒸発乾燥装置。
【請求項８】
密閉状ケーシング内に、凹凸条部が上下方向に延びるように立てた状態の前記加熱パネルを複数枚水平方向に所定間隔で平行に配置すると共に、これら立て形配置の加熱パネルの下方に、凹凸条部が略水平方向に延びるように寝かせた状態の前記加熱パネルを一段又は上下複数段状に配置し、各立て形配置加熱パネルには左右両パネル面の乾燥固化物を掻き取るスクレーパーを装備し、寝かせ形加熱パネルには上面側パネル面の乾燥固化物を掻き取るスクレーパーを装備し、各立て形配置加熱パネルの上端部に蒸気供給管、下端部に蒸気排出管を設け、立て形配置の各加熱パネルの上端部側には、両パネル面に夫々汚泥等スラリーを噴霧するスラリー噴霧ノズルを設けてなる請求項１〜７の何れかに記載の蒸発乾燥装置。
【請求項９】
密閉状ケーシング内に、凹凸条部が略水平方向に延びるように寝かせた状態の前記加熱パネルを上下複数段状に配置し、各加熱パネルの一端部に蒸気供給管、他端部に蒸気排出管を設け、各加熱パネルには上面側パネル面の乾燥固化物を掻き取るスクレーパーを装備し、各加熱パネルの上側には上面側パネル面に汚泥等スラリーを注ぐためのスラリー供給口を設けてなる請求項１〜７の何れかに記載の蒸発乾燥装置。
【発明の詳細な説明】
【０００１】
【発明の属する技術分野】
本発明は、各種産業の生産設備において発生する廃棄物、特に水分を多量に含む汚泥等のスラリーを加熱して水分を蒸発させ、乾燥させる装置に関する。
【０００２】
【従来の技術】
汚泥等の水分を多量に含むスラリーは、焼却に先立ち、あるいは焼却に代えて蒸発乾燥装置による加熱で水分を蒸発により除去され、乾燥される。また、ケースによっては、埋め立てやリサイクル等のために完全に乾燥され、固化されたりもする。このため、従来より図１６、図１７に示すような蒸発乾燥装置や蒸発乾燥固化装置が用いられている。以下、これらの装置について図を参照しつつ簡単に説明する。
【０００３】
図１６は従来の回転円筒型の装置で、同図の（ａ）は側面図であり、（ｂ）は横断面図である。これらの図において、７０は加熱用円筒であり、７１はスラリー噴霧用ノズルであり、７２は加熱用円筒７０の表面に付着したスラリーの乾燥固化物Ｋを掻き取る固定式スクレーパである。さて、加熱用円筒７０は回転しながら、その内部に加熱用蒸気を流している。そして、スプレー用ノズル７１は、加熱用円筒７０の上側部近くに水分を含んだスラリーＳを、同図（ｂ）に示すように中心部より図上少し左方の位置にスプレーする。このため、スプレーされたスラリーＳは、加熱用円筒７０の反時計回りの回転に伴いその下側部辺りでは水分がかなり蒸発して、濃縮されたスラリーＳａとなり、回転した上側部近くでは乾燥した固形物Ｋとなって加熱用円筒７０の表面に付着し、この固形物Ｋはスクレーパ７２で削り取られることになる。
【０００４】
図１７は箱型あるいは容器型の装置を示すもので、容器７３内部のスラリーＳは熱風で乾燥される。図１８は図１６に示す回転円筒型装置の変形例で、並列円盤型とでもいうものである。この型では、加熱部は単なる円筒でなく、加熱用円筒７０の外周側に、内部に加熱用蒸気が満ちた中空円盤７４部が多数並列状に一体形成されている。またこのため、固定式スクレーパ７５の形状もこれに伴って多少複雑な形状、構造になっている。他の符号は図１６と同じである。そして、上記のような蒸発乾燥送置に投入されたスラリーＳは、蒸気により加熱され、乾燥され、多くの場合固化して加熱面に付着する。その後、固定型のスクレーパで削り取られ、最後に廃棄される。
【０００５】
【発明が解決しようとする課題】
しかしながら、上記従来の蒸発乾燥装置においては、回転円筒型では加熱面が円筒形であるため、伝熱面積は直径×円周率×長さで決まる。また、蒸気圧に耐える強度上、肉厚も必要である。このため、必要な加熱面積を得ようとすれば、どうしても装置が大型になる。ひいては、製造コストが高騰し、必要な立地面積も増加する。箱型の場合も、装置が大型となる。また、内部に蒸気が満ちた多数の円盤を使用する並列円盤型では、製造が複雑となるだけでなく、内圧の関係等で円盤の寸法に制限が生じ、このため下方に落下する液が多く、落下した半濃縮液を回収して循環させる設備が必要となる。また、当初から密度、粘度とも大な汚泥等の流動体には不適当となる。
【０００６】
また、いずれのタイプの装置においても、加熱面にフイルム状に固着した汚泥等の固着物を固定式のスクレーパで削ぎ取るのであるから、スクレーパ先端部の摩耗や劣化も激しく、スクレーパの再研磨、再研磨後の装着等の調整も煩雑となる。また、乾燥により加熱面に固着した固着物を削ぎ取るためには、シリンダーやハンドルの操作でスクレーパ先端を伝熱面に適度の押圧力で当てつけておいたり、僅かな隙間に保持しておいたりせねばならないが、いずれも調整が難しく、下手をすると加熱面を損傷させたりしかねない。
【０００７】
本発明は、上記の課題に鑑み、構造簡単にして小型で汎用性があり、安価に製作でき、しかも保守が容易な蒸発乾燥装置を提供することを目的とする。
【０００８】
【課題を解決するための手段】
請求項１に係る発明の蒸発乾燥装置は、両パネル面に夫々、直線状に延びる凸条部２と凹条部３とが交互に且つ平行に形成されると共に、各凸条部２の内側に蒸気通路４が形成されてなる加熱パネル１を備え、この加熱パネル１のパネル面に汚泥等のスラリーＳを供給して蒸発乾燥させるようにしたことを特徴とする。
【０００９】
請求項２は、請求項１に記載の蒸発乾燥装置において、前記加熱パネル１には、各蒸気通路４の一端部に加熱蒸気を供給する蒸気供給管５と、各蒸気通路４の他端部から出る蒸気を一方向に排出させる蒸気排出管６とを設けてなることを特徴とする。
【００１０】
請求項３は、請求項１又は２に記載の蒸発乾燥装置において、前記加熱パネル１のパネル面に付着した汚泥等スラリーの乾燥固化物Ｋを掻き取るためのスクレーパー１０を装備してなることを特徴とする。
【００１１】
請求項４は、請求項１〜３の何れかに記載の蒸発乾燥装置において、前記加熱パネル１の各凸条部２は、加熱パネル１の両パネル面で互い違いの位相となるように形成されていることを特徴とする。
【００１２】
請求項５は、請求項１〜４の何れかに記載の蒸発乾燥装置において、前記加熱パネル１の各凸条部２は、平板７の両面に夫々、管材を縦に二分割した半割管材又はこれに類似した部材を一定間隔おきに固着したものからなり、隣合う半割管材又はこれの類似部材相互間に凹条部３が形成されることを特徴とする。
【００１３】
請求項６は、請求項３に記載の蒸発乾燥装置において、前記スクレーパー１０は、加熱パネル１の両端近傍に配置されたスプロケット１３に掛張されて、加熱パネル１の両パネル面に沿って凹凸条部２，３の長手方向に移動する駆動チェーン１４と、この駆動チェーン１４に取付部材１５を介して取り付けられ、パネル面の凹凸条部２，３に沿って摺動して乾燥固化物Ｋを掻き取る掻取片１６とからなることを特徴とする。
【００１４】
請求項７は、請求項６に記載の蒸発乾燥装置において、前記スクレーパー１０の取付部材１５には、掻取片１６をパネル面の凹凸条部２，３に対し弾性的に押し付けるためのバネ２５が設けられていることを特徴とする。
【００１５】
請求項８は、請求項１〜７の何れかに記載の蒸発乾燥装置において、密閉状ケーシング９内に、凹凸条部２，３が上下方向に延びるように立てた状態の前記加熱パネル１を複数枚水平方向に所定間隔で平行に配置すると共に、これら立て形配置の加熱パネル１の下方に、凹凸条部２，３が略水平方向に延びるように寝かせた状態の前記加熱パネル１を一段又は上下複数段状に配置し、各立て形配置加熱パネル１には左右両パネル面の乾燥固化物Ｋを掻き取るスクレーパー１０を装備し、寝かせ形加熱パネル１には上面側パネル面の乾燥固化物Ｋを掻き取るスクレーパー１０を装備し、各立て形配置加熱パネル１の上端部に蒸気供給管５、下端部に蒸気排出管６を設け、立て形配置の各加熱パネル１の上端部側には、両パネル面に夫々汚泥等スラリーＳを噴霧するスラリー噴霧ノズル１１を設けてなることを特徴とする。
【００１６】
請求項９は、請求項１〜７に記載の蒸発乾燥装置において、密閉状ケーシング９内に、凹凸条部２，３が略水平方向に延びるように寝かせた状態の前記加熱パネル１を上下複数段状に配置し、各加熱パネル１の一端部に蒸気供給管５、他端部に蒸気排出管６を設け、各加熱パネル１には上面側パネル面の乾燥固化物Ｋを掻き取るスクレーパー１０を装備し、各加熱パネル１の上側には上面側パネル面に汚泥等スラリーＳを注ぐためのスラリー供給口３０を設けてなることを特徴とする。
【００１７】
【発明の実施の形態】
図１の（ａ）は本発明に係る蒸発乾燥装置の一実施形態を示す正面図であり、（ｂ）は同蒸発乾燥装置の一部断面平面図である。図２の（ａ）は図１の（ａ）のイ−イ線拡大断面図、（ｂ）はロ−ロ線拡大断面図、（Ｃ）はハ−ハ線拡大断面図である。これらの図において１は、両パネル面に夫々、直線状に延びる凸条部２と凹条部３とが交互に且つ平行に形成されると共に、各凸条部２の内側に蒸気通路４が形成されてなる加熱パネルである。５は各蒸気通路４の一端部に加熱蒸気を供給するための蒸気供給管、６は各蒸気通路４の他端部から出る蒸気を一方向に排出させるための蒸気排出管で、蒸気供給管５は加熱蒸気源に接続され、蒸気排出管６はドレンタンク等に接続される。尚、５ｏ及び６ｏは、夫々蒸気供給管５及び蒸気排出管６の一部を形成するもので、図５に示すようにケーシング９に取り付けるための加熱パネル取付管である。
【００１８】
加熱パネル１の各凸条部２は、加熱パネル１の両パネル面において互い違いの位相となるように形成されている。即ち、一方のパネル面の各凸条部２は、他方のパネル面の凹条部３に対応する位置にあり、また一方のパネル面の各凹条部３は、他方のパネル面の凸条部２に対応する位置にある。このような構成にすることによって、加熱面積を大きくとることができ、加熱効率を向上できる。
【００１９】
この加熱パネル１を実際に製作する時は、図２に示すように、金属板からなる矩形状平板７の両面の夫々に、金属製の例えば円管材を縦に二分割した半割管材を一定間隔おきに溶接して固着することにより、各半割管材が凸条部２となり、隣合う半割管材相互間に凹条部３が形成されると共に、各半割管材の内周面と平板７との間に蒸気通路４が形成される。この場合、半割管材は、加熱パネル１の両パネル面において互い違いの位相となるように配設される。平板７の両側端には支持板８が平板７とＴ字状を成すように固着されている。尚、図面では、平板７の一面側には大径の半割管材を配設し、他面側には小径の半割管材を配設しているが、両面側に夫々同じ径の半割管材を配設してもよい。
【００２０】
また加熱パネル１を製作する他の例を図１５に示す。同図の（ａ）は、金属平板７の両面の夫々に金属製のアングル材を一定間隔おきに溶接することにより、各アングル材が凸条部２となって、隣合うアングル材相互間に凹条部３を形成し、各アングル材の内周面と平板７との間に蒸気通路４を形成することができる。この場合も、アングル材は、加熱パネル１の両パネル面で互い違いの位相となるように配設するとよい。このアングル材の代わりに、金属角管をその断面の対角線に沿って縦に二分割したものを使用してもよい。
【００２１】
図１５の（ｂ）は、加熱パネル１を製作する更に他の例を示すもので、金属製円管と金属製帯板とを交互に溶接して連結することによって形成され、この場合は各円管の片側半分が凸条部２となり、各円管の内部が蒸気通路４となる。また、上記以外の製作例として、２枚の金属製波板を、各凸条部２が両パネル面で互い違いの位相となるように突き合わせることによって、加熱パネル１を製作することができる。
【００２２】
図３〜図５は上記のような加熱パネル１を複数枚使用してより具体的に構成された蒸発乾燥装置を示し、図３は同蒸発乾燥装置の縦断正面図、図４は縦断側面図、図５は横断平面図である。この蒸発乾燥装置は、密閉箱状ケーシング９内に、凹凸条部２，３が上下方向に延びるように立てた状態の複数枚（例えば３枚）の加熱パネル１を水平方向に所定間隔で平行に配置し、これら立て形配置の加熱パネル１の下方に、凹凸条部２，３が水平方向に延びるように寝かせた状態の加熱パネル１を１枚だけ配置してなるもので、各立て形配置の加熱パネル１には、左右両パネル面に付着した乾燥固化物Ｋを掻き取るスクレーパー１０を装備し、寝かせ形加熱パネル１には上面側パネル面の乾燥固化物Ｋを掻き取るスクレーパー１０を装備し、また各立て形配置の加熱パネル１の上端部側には、両パネル面に夫々スラリーＳを噴霧するスラリー噴霧ノズル１１を設け、また寝かせ形加熱パネル１の一端部下方に乾燥固化物投入用コンテナ１２を設けている。尚、寝かせ形加熱パネル１は、その蒸気排出管６側端部が多少下がり気味の傾斜状態でもよい。
【００２３】
各スクレーパー１０は、図３〜図５から分かるように、加熱パネル１の両端近傍に配置され、モーター（図１３に符号３２で示す）によって回転するスプロケット１３に掛張されて、加熱パネル１の両パネル面に沿って凹凸条部２，３の長手方向に移動する駆動チェーン１４と、この駆動チェーン１４に取付部材１５を介して取り付けられ、パネル面の凹凸条部２，３に沿って摺動して乾燥固化物Ｋを掻き取る掻取片１６とから構成される。
【００２４】
各立て形加熱パネル１の駆動チェーン１４は、図３に例示するように、掻取片１６が加熱パネル１の左右両パネル面側で各パネル面の両端間を互いに反対方向に往復移動するように駆動され、掻取片１６がパネル面の下端から上端へ移動する時に乾燥固化物Ｋを掻き取るようになっている。また、寝かせ形加熱パネル１の駆動チェーン１４は、掻取片１６が加熱パネル１の上側パネル面上をその左方から右方へ移動するように一方向に連続駆動され、上側パネル面に付着した乾燥固化物Ｋを掻き取ってコンテナ１２へ落とし込むようになっている。尚、各立て形加熱パネル１の駆動チェーン１４も、寝かせ形加熱パネル１の駆動チェーン１４と同様に、一方向に連続駆動されるようにしてもよい。
【００２５】
図３〜図５において、１７は各噴霧ノズル１１にスラリーＳを供給するスラリー供給管で、図示しないスラリー貯蔵タンクに接続されていて、ポンプでスラリーが圧送される。１８はケーシング９内に多数配設された洗浄用の蒸気噴射ノズルで、ケーシング９に架け渡された蒸気供給管３１に多数設けられており、汚泥等のスラリーＳがケーシング９の内壁、加熱パネル１、スクレーパー１０等に付着したまま固化するのを防止する。１９はケーシング９に設けてある開口２０に開閉自在に取り付けられた蓋体である。２１はケーシング９の頂部に設けられた排気口で、蒸気噴射ノズル１８から噴射して洗浄を行なった蒸気をケーシング９の外へ排出させ、図示しない各種設備により回収するようになっている。尚、ケーシング９の開口２０には、口径の大きいものから小さいものまで種々あるが、図４に示すような大口径の開口２０は、ケーシング９内部の保守のために作業員が入ったり、加熱パネル１等の装置構成部材の出し入れをするのに使用され、小口径の開口２０は点検口として使用される。
【００２６】
上述した図３〜図５に示す蒸発乾燥装置の作用について説明すると、本装置の処理対象物である汚泥等のスラリーＳは、図３に示すように噴霧ノズル１１から立て形に配置された加熱パネル１のパネル面の上端部側に噴霧される。この時、各加熱パネル１には、蒸気供給管５より供給された加熱蒸気が各凸条部２の蒸気通路４に流通して、パネル面が所定温度に加熱されている。噴霧ノズル１１から噴霧されるスラリーＳは細かい水滴状なので、加熱パネル１のパネル面に付着したまま自重で下方へ流れていく。
【００２７】
この際、このスラリーＳは、立て形加熱パネル１の下方にいくほど水分がパネル面から蒸発するため、濃縮され、乾燥され、一部は固化されていく。この様子を図２に示す。この図２の（ａ），（ｂ），（ｃ）は、図１の（ａ）に示す加熱パネル１の上部側の蒸発部Ａ，中間部の濃縮部Ｂ，下部側の乾燥部ＣにおけるスラリーＳの変化の様子を示す。図２の（ａ）に示すように、このスラリーＳは、蒸発部Ａでは液状（Ｓａで示す）であるが、濃縮部Ｂでは（ｂ）に示すように濃縮された状態（Ｓｂで示す）であり、そして乾燥部Ｃでは（ｃ）に示すようにほぼ固化状態となってパネル面に付着し、この付着物を乾燥固化物Ｋとする。
【００２８】
上記のようにして各立て形加熱パネル１の乾燥部Ｃでパネル面に付着した乾燥固化物Ｋは、スクレーパー１０の掻取片１６が上下動する時にこの掻取片１６によって掻き取られ、立て形加熱パネル１の下方に水平に配置された寝かせ形加熱パネル１の上側パネル面上に落下する。尚、図３において、２２は立て形加熱パネル１から落下する乾燥固化物Ｋを寝かせ形加熱パネル１の上側パネル面上に案内する傾斜状ガイド板である。こうして寝かせ形加熱パネル１の上側パネル面上に落下した乾燥固化物Ｋは、スクレーパー１０の掻取片１６により図３の左方から右方へと押し運ばれて、乾燥固化物投入用コンテナ１２へ投入される。
【００２９】
尚、上記寝かせ形加熱パネル１に設けてあるスクレーパー１０の掻取片１６は、駆動チェーン１４に対し揺動自在に取り付けてあって、当該加熱パネル１の両端部の蒸気供給管５及び蒸気排出管６のところでは、これらの管５，６を乗り越え、また加熱パネル１の下側パネル面を走行する時には駆動チェーン１４に対し十分に屈折するようになっている。
【００３０】
また、上記寝かせ形加熱パネル１のパネル面上には、立て形加熱パネル１からの乾燥固化物Ｋだけでなく、液状スラリーＳａあるいは濃縮スラリーＳｂも流下する。しかして、それらのスラリーＳａ，Ｓｂは、この寝かせ形加熱パネル１のパネル面上を移送される間に乾燥され固化されて、スクレーパー１０の掻取片１６により移送され、コンテナ１２へ投入される。尚、寝かせ形加熱パネル１は、図３に示すように、その左端部に蒸気供給管５が位置し、右側端部に蒸気排出管６が位置している。
【００３１】
上記のような蒸発乾燥装置によれば、先ず、密閉状ケーシング９内で処理を行なうから、供給されるスラリーＳや、スクレーパー１０で掻き取られる乾燥固化物Ｋの粉末等が周辺に飛散せず、作業環境が良好となる。そして、複数枚の立て形配置加熱パネル１によって、スラリーＳの蒸発乾燥処理を短時間で効率良く行なうことができる。また、これら立て形配置加熱パネル１の下方に寝かせ形加熱パネル１を配置しているから、立て形配置加熱パネル１のパネル面に付着してスクレーパー１０で掻き落とした乾燥固化物Ｋを、この寝かせ形加熱パネル１で受けて排出させることができると共に、この寝かせ形加熱パネル１のパネル面上に流下したスラリーＳを立て形配置加熱パネル１と同様に蒸発乾燥処理させることができる。従って、大量のスラリーＳを短時間で有効に処理することができる。また、複数の加熱パネル１をコンパクトに配置できて、装置全体も小型にすることができる。
【００３２】
図６〜図９はスクレーパー１０の具体的構造例を示す。スクレーパー１０は、図４及び図５によって説明したように、加熱パネル１の両端近傍に配置されたスプロケット１３に掛張されて、加熱パネル１の両パネル面に沿って凹凸条部２，３の長手方向に移動する駆動チェーン１４と、駆動チェーン１４に取付部材１５を介して取り付けられ、パネル面の凹凸条部２，３沿いに摺動して乾燥固化物Ｋを掻き取る掻取片１６とから構成される。
【００３３】
先ず、図６及び図７に示すスクレーパー１０では、掻取片１６を駆動チェーン１４に取り付ける取付部材１５は、加熱パネル１の左右両側方にある両側一対の駆動チェーン１４と直交するように配置されて、受け金具２３を介して駆動チェーン１４に横架連結される支軸２４と、この支軸２４と掻取片１６との間に介装されて掻取片１６を加熱パネル１の凹凸条部２，３に対し弾性的に押し付けるための複数のコイルバネ２５とからなり、各コイルバネ２５は、支軸２４に固定された径小管２６と、掻取片１６に固定され、径小管２６に伸縮自在に嵌合する径大管２７とに亘って嵌装されている。従って、このスクレーパー１０によれば、掻取片１６はコイルバネ２５の付勢力によりパネル面の凹凸条部２，３に常に押し付けられた状態で係合していて、駆動チェーン１４の移動によりパネル面の凹凸条部２，３に沿って摺動しつつ、乾燥固化物Ｋを掻き取ることになる。この図６及び図７に示すスクレーパー１０は、立て型の加熱パネル１に使用される。
【００３４】
図８及び図９に示すスクレーパー１０の取付部材１５は、受け金具２３を介して駆動チェーン１４に横架連結される支軸２４と、この支軸２４の数箇所に固着されたブラケット２８と、これらブラケット２８に夫々の一端部が枢着され、先端部に掻取片１６を取付け固定している複数の傾斜揺動レバー２９と、各傾斜揺動レバー２９の先端側と支軸２４との間に張架されて、掻取片１６を加熱パネル１の凹凸条部２，３に対し弾性的に押し付けるための複数のコイルバネ２５とからなる。従って、掻取片１６はコイルバネ２５によりパネル面の凹凸条部２，３に常に押し付けられた状態で係合し、駆動チェーン１４の移動によりパネル面の凹凸条部２，３に沿って摺動しながら乾燥固化物Ｋを掻き取る。この図８及び図９に示すスクレーパー１０は、例えば図３に示す蒸発乾燥装置の寝かせ形加熱パネル１に使用される。
【００３５】
上記のようなスクレーパー１０によれば、バネ２５によって掻取片１６が常に加熱パネル１のパネル面の凹凸条部２，３に弾性的に押し付けられるため、凹凸条部２，３に沿ってスムーズに摺動できると共に、乾燥固化物Ｋを確実に掻き取ることができる。またこのスクレーパー１０は、パネル面に付着され又は付着されつつある乾燥固化物Ｋを掻き取るだけでなく、立て形加熱パネル１より掻き落とされて寝かせ形加熱パネル１のパネル面上に落下した乾燥固化物Ｋを移送するようになっている。
【００３６】
図１１及び図１２には、前述した図３〜図５の蒸発乾燥装置の変形例を示す。図３〜図５に示す蒸発乾燥装置では、立て形に配置した複数枚の加熱パネル１の下方に、凹凸条部２，３が水平方向に延びるように寝かせた状態の加熱パネル１を一段だけ配置しているが、図１１及び図１２の蒸発乾燥装置では、寝かせ形の加熱パネル１を上下二段に配置した点が異なり、他については図３〜図５の蒸発乾燥装置と同じである。
【００３７】
この図１１及び図１２の蒸発乾燥装置においては、図１０から分かるように、上段の加熱パネル１に装備されているスクレーパー１０は、掻取片１６が加熱パネル１の上面側を図の右方から左方へ移動した後、その下面側を左方から右方へ移動し、上面側を移動中に加熱パネル１の上面にある乾燥固化物Ｋを移送し、又はその上面に付着した乾燥固化物Ｋを掻き取りながら移送して周回する。また下段の加熱パネル１に装備してあるスクレーパー１０は、上段側とは掻取片１６の移動方向が逆であって、加熱パネル１の上面側を図の左方から右方へ移動した後、その下面側を右方から左方へ移動して周回し、上面側を移動中に加熱パネル１の上面にある乾燥固化物Ｋを移送するようになっている。
【００３８】
従って、図１０に示すように、上段側スクレーパー１０で掻き取られた上段側加熱パネル１上の乾燥固化物Ｋは上段加熱パネル１の左端部から下段側加熱パネル１上に落下し、この下段側加熱パネル１上の乾燥固化物Ｋは下段側スクレーパー１０で掻き取られながら左端部から右端部へと押し運ばれて、乾燥固化物投入用コンテナ１２へ投入される。
【００３９】
またこの上段側加熱パネル１のパネル面上には、上方の立て形加熱パネル１からの乾燥固化物Ｋだけでなく、液状スラリーＳａあるいは濃縮スラリーＳｂも流下するから、それらのスラリーＳａ，Ｓｂは、上記上段側加熱パネル１のパネル面上を移送される間に乾燥され固化され、スクレーパー１０で掻き取り移送されて、下段側加熱パネル１上に落下し、下段側スクレーパー１０によってコンテナ１２へ投入される。尚、上段側加熱パネル１は、図１０に示すように、その右端部に蒸気供給管５が位置し、左端部に蒸気排出管６が位置し、また下段側加熱パネル１は、その左端部に蒸気供給管５が位置し、右端部に蒸気排出管６が位置する。尚、上段側加熱パネル１の右側端部上方にあるスラリー供給口３０からスラリーＳを吐出供給させることもできる。
【００４０】
図１２〜図１４は、密閉状ケーシング９内に、凹凸条部２，３が水平方向に延びるように寝かせた状態の加熱パネル１を上下複数段に、例えば４段に配置したもので、各段の加熱パネル１の一端部に蒸気供給管５を設け、他端部に蒸気排出管６を設け、また各段の加熱パネル１には上部パネル面に付着した乾燥固化物Ｋを掻き取るスクレーパー１０を装備し、更に各段の加熱パネル１の上側には上面側パネル面にスラリーＳを注ぐためのスラリー供給口３０を設けている。スクレーパー１０及びその他の構成部材については、前述した蒸発乾燥装置と同様である。尚、図１３において、３２はスクレーパー１０の駆動源であるモーターを示す。
【００４１】
この蒸発乾燥装置においては、図１２から分かるように、最下段のスクレーパー１０を除いて各段の加熱パネル１のスクレーパー１０は、掻取片１６を加熱パネル１の上部パネル面の一端側（蒸気供給管５の設けられた側）から他端側（蒸気排出管６の設けられた側）へ移動させ、最下段のスクレーパー１０は、逆に、掻取片１６を加熱パネル１の上部パネル面の他端側から一端側へと移動させるようになっている。
【００４２】
しかして、１段〜３段の各段の加熱パネル１の上部パネル面にスラリー供給口３０より供給されたスラリーＳは、図１２に示すようにスクレーパー１０により左方向に押し流されていく。その間に加熱パネル１の上部パネル面で加熱され、濃縮されて乾燥し、各加熱パネル１の左端から最下段の加熱パネル１の上部パネル面上に落下し、更にこの最下段の加熱パネル１のスクレーパー１０で当該加熱パネル１の上部パネル面を右方へ押されつつ完全に乾燥していく。最後に、この加熱パネル１の右端から乾燥固化物投入用コンテナ１２に落としこまれる。
【００４３】
尚、最下段を除く各段の加熱パネル１は、蒸気排出管６の設けられた左端側が多少下がり気味の傾斜状態に配置されてもよく、また最下段の加熱パネル１は、蒸気排出管６のある右端側が多少下がり気味の傾斜状態に配置されてもよい。
【００４４】
上記した図１２〜図１４の蒸発乾燥装置によれば、図３〜図５の蒸発乾燥装置及び図１０、図１１の蒸発乾燥装置と同様、密閉状ケーシング９内で処理を行なうので、スラリーＳや乾燥固化物Ｋの粉末等が周辺に飛散せず、作業環境が良好となると共に、スラリーＳを各段の加熱パネル１により確実且つ有効に蒸発乾燥させることができ、また全ての加熱パネル１を略水平に配置するので、装置全体をコンパクトにして且つ比較的嵩低で小型にすることができる。また、構造が簡素であるから、製作が容易で安価に提供することができる。
【００４５】
【発明の効果】
請求項１に係る発明の蒸発乾燥装置によれば、装置の主体である加熱パネルは、パネル状であって、両パネル面に夫々直線状に延びる凸条部と凹条部とを交互に且つ平行に形成すると共に、各凸条部の内側に蒸気通路を形成してなる構造であるから、従来のものに比較して、装置のコンパクトが可能となる。また、パネル面の凸条部によって、パネル面が平面であるのもに比較して、加熱面積が増大する。また、単にパイプを筏状に並べたようなものと異なり、乾燥固化物が付着する隅部がないので保守も容易となる。
【００４６】
請求項２に係る発明の蒸発乾燥装置によれば、加熱パネルに、各蒸気通路の一端部に加熱蒸気を供給する蒸気供給管と、各蒸気通路の他端部から出る蒸気を一方向に排出させる蒸気排出管とを設けることにより、加熱蒸気の供給、排出が容易となると共に、加熱パネルの構造をコンパクトにすることができる。
【００４７】
請求項３に係る発明の蒸発乾燥装置によれば、加熱パネルにはスクレーパーを装備しているので、パネル面に付着した汚泥等スラリーの乾燥固化物を有効に掻き取ることができる。
【００４８】
請求項４に係る発明の蒸発乾燥装置によれば、加熱パネルの各凸条部を、加熱パネルの両パネル面で互い違いの位相となるように形成しているので、加熱面積を大きくとれて、加熱効率を向上させることができる。
【００４９】
請求項５に係る発明の蒸発乾燥装置によれば、加熱パネルの各凸条部が、平板の両面に夫々、管材を縦に二分割した半割管材又はこれに類似した部材を一定間隔おきに固着したものからなる場合は、加熱パネルの製作が容易で、コストの低廉化を図ることができる。
【００５０】
請求項６に係る発明の蒸発乾燥装置によれば、スクレーパーが、加熱パネルの両端近傍に配置されたスプロケットに掛張されて、加熱パネルの両パネル面に沿って凹凸条部の長手方向に移動する駆動チェーンと、駆動チェーンに取付部材を介して取り付けられ、パネル面の凹凸条部に沿って摺動して乾燥固化物を掻き取る掻取片とで構成されることによって、スクレーパーの構造が簡単にして、パネル面に付着した乾燥固化物を有効に掻き取ることができる。
【００５１】
請求項７に係る発明の蒸発乾燥装置によれば、スクレーパーの取付部材に、掻取片をパネル面の凹凸条部に対して弾性的に押し付けるバネを設けた場合には、バネによって掻取片が常に加熱パネルのパネル面の凹凸条部に弾性的に押し付けられるため、凹凸条部に沿ってスムーズに摺動できると共に、乾燥固化物を確実に掻き取ることができ、またパネル面に接触するスクレーパー先端部分の摩耗も少なくなり、パネル面を損傷させるおそれがない。
【００５２】
請求項８に係る発明の蒸発乾燥装置によれば、密閉状ケーシング内で処理を行なうから、供給される汚泥等のスラリーや、スクレーパーで掻き取られる乾燥固化物の粉末等が周辺に飛散せず、作業環境が良好となる。そして複数枚の立て形配置加熱パネルによって、スラリーの蒸発乾燥処理を短時間で効率良く行なうことができる。また、立て形配置加熱パネルの下方に寝かせ形加熱パネルを配置しているから、立て形配置加熱パネルのパネル面に付着してスクレーパーで掻き落とした乾燥固化物を、この寝かせ形加熱パネルで受けて排出させることができると共に、この寝かせ形加熱パネルのパネル面上に流下したスラリーを立て形配置加熱パネルと同様に蒸発乾燥処理させることができる。従って、大量のスラリーを短時間で有効に処理することができる。また、複数の加熱パネルをコンパクトに配置できて、装置全体も小型にすることができる。
【００５３】
請求項９に係る発明の蒸発乾燥装置によれば、密閉状ケーシング内で処理を行なうので、スラリーや乾燥固化物の粉末等が周辺に飛散せず、作業環境が良好となると共に、スラリーを各段の加熱パネルにより確実且つ有効に蒸発乾燥させることができ、また全ての加熱パネルを略水平に配置するので、装置全体をコンパクトにして且つ比較的嵩低で小型にすることができる。また、構造が簡素であるから、製作が容易で安価に提供することができる。
【図面の簡単な説明】
【図１】（ａ）は本発明に係る蒸発乾燥装置の一実施形態を示す正面図、（ｂ）は同蒸発乾燥装置の一部断面平面図である。
【図２】（ａ）は図１の（ａ）のイ−イ線拡大断面図、（ｂ）はロ−ロ線拡大断面図、（Ｃ）はハ−ハ線拡大断面図である。
【図３】図１及び図２の加熱パネルを複数枚使用してより具体的に構成される蒸発乾燥装置の縦断正面図である。
【図４】同上の蒸発乾燥装置の縦断側面図である。
【図５】同上の蒸発乾燥装置の横断平面図である。
【図６】スクレーパーの一例を示すものであり、（ａ）は側面図、（ｂ）は（ａ）の矢印ニから見た図、（ｃ）は（ａ）の矢印ホから見た図である。
【図７】図６のスクレーパーと同じもので、（ａ）は正面図、（ｂ）は縦断側面図である。
【図８】スクレーパーの他の例を示し、（ａ）は側面図、（ｂ）は（ａ）の矢印ヘから見た図、（ｃ）は（ａ）の矢印トから見た図である。
【図９】図８のスクレーパーと同じもので、（ａ）は正面図、（ｂ）は縦断側面図である。
【図１０】他の実施形態による蒸発乾燥装置の縦断正面図である。
【図１１】同上の蒸発乾燥装置の縦断側面図である。
【図１２】更に他の実施形態による蒸発乾燥装置の縦断正面図である。
【図１３】同上の蒸発乾燥装置の横断平面図である。
【図１４】同上の蒸発乾燥装置の縦断側面図である。
【図１５】（ａ），（ｂ）は加熱パネルの製作例を示す平面図である。
【図１６】従来の管型蒸発乾燥固化装置の要部を示す図である。
【図１７】従来の容器型蒸発乾燥固化装置の要部を示す図である。
【図１８】従来の並列円板型蒸発乾燥固化装置の要部を示す図である。
【符号の説明】
１              加熱パネル
２              凸条部
３              凹条部
４              蒸気通路
５              蒸気供給管
６              蒸気排出管
１１            スラリー噴霧ノズル
１０            スクレーパー
１３            スプロケット
１４            駆動チェーン
１５            取付部材
１６            掻取片
２５            バネ
３０            スラリー供給口
【図１】
2004243304.tif 000003
【図２】
2004243304.tif 000004
【図３】
2004243304.tif 000005
【図４】
2004243304.tif 000006
【図５】
2004243304.tif 000007
【図６】
2004243304.tif 000008
【図７】
2004243304.tif 000009
【図８】
2004243304.tif 000010
【図９】
2004243304.tif 000011
【図１０】
2004243304.tif 000012
【図１１】
2004243304.tif 000013
【図１２】
2004243304.tif 000014
【図１３】
2004243304.tif 000015
【図１４】
2004243304.tif 000016
【図１５】
2004243304.tif 000017
【図１６】
2004243304.tif 000018
【図１７】
2004243304.tif 000019
【図１８】
2004243304.tif 000020